(57)【要約】【課題】フラット電線の余長部を保持部内に容易に挿入できる室内照明灯の提供を課題とする。【解決手段】車両の内装材である天井トリム５１に設けられた開口５２に取付可能なベゼル５３にレンズ５４が固定された意匠部５５と、この意匠部５５に支持されることにより天井トリム５１の裏面５１ａ側に配置され、かつ、光源５６を備える機能部５７と、光源５６に電力を供給するためのフラット電線６１の余長部６１ａを保持する保持部６２とを有してる。そして、保持部６２が、フラット電線６１を複数回折り返して積層させた状態で積層方向に一括把持可能な内巾ｂ３を有する略Ｕ字状のアーム部９０と、このアーム部の内側において対向配置された一対の爪部９１，９２とを備えている。また、フラット電線６１を爪部９１，９２間の挿入通路に順次通過させてアーム部９０内に収容する。上記の挿入通路は内巾ｂ３の中央から一方に片寄って設定されている。【選択図】  図２
2005075220.tif 000002
【特許請求の範囲】
【請求項１】
車両の内装材に設けられた開口に取付可能なベゼルにレンズが固定された意匠部と、
前記意匠部に支持されることにより前記内装材の裏面側に配置され、かつ、光源を備える機能部と、前記光源に電力を供給するためのフラット電線の余長部を保持する保持部とを有し、
前記保持部が、前記フラット電線を複数回折り返して積層させた状態で積層方向に一括把持可能な内巾を有する略Ｕ字状のアーム部と、前記アーム部の内側において対向配置された一対の爪部とを備え、
前記フラット電線を前記爪部間の挿入通路に順次通過させて前記アーム部内に収容する室内照明灯であって、
前記挿入通路が前記内巾の中央から一方に片寄って設定されていることを特徴とする室内照明灯。
【請求項２】
前記内巾が、前記フラット電線における長手方向に対して直交し、かつ、各芯線の共通経方向に対して直交する厚み寸法ｘと、前記保持部に保持される前記フラット電線の積層段数ｎとの乗数未満であることを特徴とする請求項１に記載の室内照明灯。
【発明の詳細な説明】
【技術分野】
【０００１】
本発明は、室内照明灯に関する。
【背景技術】
【０００２】
車両には、逆光を遮るためのサンバイザが設けられているのが普通である。このようなサンバイザの中には、バックミラーとは別に小型のミラーが設けられている場合がある。
【０００３】
このようにサンバイザにミラーが設けられている場合、夜間でもミラーを使用できるようにするため、天井のフロントガラス寄りに室内照明灯が設けられている場合がある。この室内照明灯は、天井のほぼ中央に設けられているドームランプとは別個に設けられている。
【０００４】
また、この室内照明灯は、サンバイザを天井側に折りたたんだときに、サンバイザによって隠される位置に設けられている。この室内照明灯は、主にミラーを使用するときだけに用いるので、ドームミラーに比べて非常に小型である。
【０００５】
さらに、サンバイザのミラーには、スライドさせて開閉する引き戸が設けられている場合がある。また、引き戸を開けたときに室内照明灯が点灯するように構成されている場合がある。
【０００６】
図１２は、従来の室内照明灯１の分解図である。この室内照明灯１は、意匠部１１と、この意匠部１１に着脱自在に取り付けられる機能部１２とを有している。このうち意匠部１１は、枠状のベゼル１３と、このベゼル１３の開口１４に設けられたレンズ１５と、ベゼル１３の両側に設けられたクリップ１６とを有している。また、機能部１２は、バルブ（電球）１７と、機能部本体１８とを有している。
【０００７】
この室内照明灯１は、図１３に示すように、車両の天井におけるトリム（内装材）１９に設けられた開口２０に取り付けられる。この場合、室内照明灯１のクリップ１６が開口２０の縁部に係止されて、室内照明灯１が天井に保持される。なお、図１３中の符号２２は機能部本体１８に接続された電線、２３は車体（金属）である。
【０００８】
室内照明灯１の機能部１２は、図１４に示すように、機能部本体１８に凹部２４が形成され、この凹部２４内に圧接刃２５が設けられている。圧接刃２５の先端には、Ｖ字状の溝２５ａが形成されている。この圧接刃２５は、バルブ１７に接続されている。また、凹部２４には開閉自在なフタ２６が設けられている。
【０００９】
機能部１２にフラット電線２２を接続する場合は、図１５に示すように、凹部２４内にフラット電線２２を挿入し、圧接刃２５の先端に設けられたＶ字状の溝２５ａ内にフラット電線２２を載置する。そして、図１６に示すように、フタ２６を閉めると、フラット電線２２が圧接刃２５側に押圧され、フラット電線２２の絶縁皮膜が圧接刃２５によって破られて、その心線が圧接刃２５と電気的に接続される。これによって、フラット電線２２とバルブ１７が圧接刃２５を介して接続される。
【００１０】
ここで、フタ２６の圧接刃２５側の面には、フラット電線２２を押圧する突部２６ａが形成されている。突部２６ａ，２６ａの間は、ほぼ平坦に形成されている。この突部２６ａによって、フラット電線２２が溝２５ａ内に確実に押し込まれる。
【００１１】
次に、上記の室内照明灯１を、車両の天井トリム１９に取り付ける方法を説明する。図１７に示すように、室内照明灯１を取り付けるべき天井トリム１９には、ドームランプ取付孔３０，室内照明灯取付孔３１が設けられている。
【００１２】
ここでは、まず、図１８に示すように、天井トリム１９の室内照明灯取付孔３１に、室内照明灯１の意匠部１１のみを取り付ける。次に、図１９に示すように、天井トリム１９の裏面１９ａ側から意匠部１１に機能部１２を取り付ける。機能部１２には、予めフラット電線２２が接続されている。次に、図２０に示すように、天井トリム１９を車両本体３２の天井３２ａに取り付ける。
【００１３】
室内照明灯１のバルブ１７を交換する場合は、図２１に示すように、天井トリム１９から室内照明灯１全体を取り外す。このとき、フラット電線２２に引張力が作用するのを避けるため、図２２に示すように、フラット電線２２には余長部２２ａが設けられている。
【００１４】
フラット電線２２の余長部２２ａは、図２３に示すように、機能部１２に設けられたクリップ３３によって保持されている。このクリップ３３は、略Ｌ字状に形成されている。そして、クリップ３３と機能部本体１８間の隙間に、フラット電線２２が挿入されて保持される。
【００１５】
クリップ３３の内巾ｂ１は、フラット電線２２の挿入幅ｂ２とほぼ同一に形成されている。また、クリップ３３の内側面には、互いに対向する係止爪３４，３４が形成されている。これらの係止爪３４，３４間に、フラット電線２２をクリップ３３の内部に挿入するための挿入通路３５が形成されている。
【特許文献１】特開２００２−６７７８９号公報
【特許文献２】特開２００２−２１８６３５号公報
【特許文献３】特開２００２−３４５１４３号公報
【発明の開示】
【発明が解決しようとする課題】
【００１６】
しかしながら、従来の室内照明灯１は、フラット電線２２の余長部２２ａを保持するクリップ３３の挿入通路３５が、クリップ３３の内巾ｂ１における略中央に形成されていたので、この内巾ｂ１内にフラット電線２２の余長部２２ａを挿入するとき、最初に挿入された余長部２２ａがどの方向に行くか不確定であり、その後に挿入される余長部２２ａの挿入順序が規定されないという問題があった。
【００１７】
この場合、フラット電線２２の余長部２２ａを、クリップ３３の内巾ｂ１内に簡単に挿入できなくなるおそれがあり、作業性が低下するという問題が発生する。
【００１８】
本発明は、フラット電線の余長部をクリップ内に容易に挿入できる室内照明灯の提供を課題とする。
【課題を解決するための手段】
【００１９】
前述した目的を達成するために、本発明は、車両の内装材に設けられた開口に取付可能なベゼルにレンズが固定された意匠部と、前記意匠部に支持されることにより前記内装材の裏面側に配置され、かつ、光源を備える機能部と、前記光源に電力を供給するためのフラット電線の余長部を保持する保持部とを有し、前記保持部が、前記フラット電線を複数回折り返して積層させた状態で積層方向に一括把持可能な内巾を有する略Ｕ字状のアーム部と、前記アーム部の内側において対向配置された一対の爪部とを備え、前記フラット電線を前記爪部間の挿入通路に順次通過させて前記アーム部内に収容する室内照明灯であって、前記挿入通路が前記内巾の中央から一方に片寄って設定されていることを特徴とする。
【００２０】
本発明では、フラット電線を保持部におけるアーム部内に挿入するとき、フラット電線がアーム部内の片側に片寄って配置されるので、フラット電線とアーム部の内側面との隙間大きくなり、次に挿入したフラット電線がこの隙間内に配置される。つまり、フラット電線がアーム部内に挿入される順序が規定されるので、フラット電線をアーム部内に簡単に挿入でき、挿入作業性が向上する。
【００２１】
ここで、前記内巾の寸法を、前記フラット電線における長手方向に対して直交し、かつ、各芯線の共通経方向に対して直交する厚み寸法ｘと、前記保持部に保持される前記フラット電線の積層段数ｎとの乗数未満とすることができる。
【００２２】
この場合は、アーム部内に挿入された複数のフラット電線のうち互いに隣接するフラット電線同士において、一方のフラット電線における突出した芯線部分が、他方のフラット電線における凹部状の非芯線部分内に挿入された状態で、両方のフラット電線が重なるので、フラット電線が不用意に抜けにくくなる。
【発明の効果】
【００２３】
本発明によれば、フラット電線の余長部をアーム部の内部に挿入する順序が規定されるので、フラット電線を容易にアーム部内に挿入でき、その挿入作業性が高くなる。
【発明を実施するための最良の形態】
【００２４】
以下、本発明に係る実施形態を図面に基づいて詳細に説明する。図１は本発明に係る実施形態を示す断面図、図２は本発明に係る実施形態の機能部を示す上面図、図３は本発明に係る実施形態のフラット電線を示す図、図４は本発明に係る実施形態のフラット電線を積層した状態を示す図、図５は本発明に係るフラット電線の保持部内にフラット電線を挿入した状態を示す図、図６は本発明に係る実施形態の機能部を上からみた斜視図、図７は本発明に係る実施形態の機能部を下からみた斜視図、図８は本発明に係る実施形態の室内照明灯を車両に取り付けた状態を示す図、図９は本発明に係る実施形態のサンバイザを示す図、図１０は本発明に係る実施形態のミラーを示す図、図１１は本発明に係る実施形態のサンバイザを開いた状態を示す図である。
【００２５】
図１に示すように、本発明の実施形態に係る室内照明灯５は、車両の天井トリム（内装材）５１に設けられた開口５２に取付可能なベゼル５３にレンズ５４が固定された意匠部５５と、この意匠部５５に支持されることにより天井トリム５１の裏面５１ａ側に配置され、かつ、光源５６を備える機能部５７とを有している。
【００２６】
また、意匠部５５のベゼル５３には、天井トリム５１に係止されるクリップ５８が設けられている。機能部５７の機能部本体６０には、図２に示すように、フラット電線６１（図１参照）の余長部６１ａを保持するための保持部６２が設けられている。
【００２７】
この保持部６２は、フラット電線６１の余長部６１ａを複数回折り返して積層させた状態で、積層方向に一括把持可能な内巾ｂ３を有する略Ｕ字状のアーム部９０と、このアーム部９０の内側において対向配置された一対の爪部９１，９２とを備えている。
【００２８】
そして、フラット電線６１の余長部を爪部９１，９２間の挿入通路９３に順次通過させて、アーム部９０内に収容するように構成されている。
【００２９】
また、保持部６２は、挿入通路９３がアーム部９０の内巾ｂ３の中央から一方に片寄って設定されている。本例では、挿入通路９３が、アーム部９０の機能部本体６０と反対側の内側面９４側に片寄っている。
【００３０】
ここで、上記の内巾ｂ３は、図３に示すフラット電線６１における長手方向に対して直交し、かつ、各芯線の共通経方向に対して直交する厚み寸法ｘと、図４に示す保持部６２（図２参照）に保持されるフラット電線６１の積層段数ｎとの乗数（ｘｎ）未満に設定するのが好ましい（ｂ３＜ｘｎ）。図３はｎ＝３の場合を示す。
【００３１】
このように、本発明では、フラット電線６１を保持部６２におけるアーム部９０内に挿入するとき、フラット電線６１がアーム部９０における内巾ｂ３の片側に片寄って配置されるので、フラット電線６１とアーム部９０の反対側の内側面９４との隙間が大きくなり、次に挿入したフラット電線６１がこの隙間内に配置される。
【００３２】
つまり、フラット電線６１がアーム部９０内に予め規定された順序で挿入されるので、フラット電線６１をアーム部９０内に容易に挿入でき、その挿入作業性が向上する。
【００３３】
また、図５に示すように、アーム部９０内に挿入された複数のフラット電線６１のうち、互いに隣接するフラット電線６１，６１同士において、一方のフラット電線６１における凸状の芯線部分９６が、他方のフラット電線６１における凹状の非芯線部分９５内に挿入された状態で重なるので、フラット電線６１がアーム部９０内から不用意に抜けるのを防止できる。
【００３４】
上記の機能部５７における機能部本体６０には、図６に示すように、フラット電線６１を挿入する凹部６３が設けられている。この凹部６３内には、フラット電線６１を接続する圧接刃（図示せず）が設けられている。また、機能部本体６０には、凹部６３内に挿入可能な蓋部６４が設けられている。
【００３５】
この蓋部６４は、図７に示すように、機能部本体６０から天井トリム５１の裏面５１ａ（図１参照）に向かって突出する薄肉ヒンジ６５が一体的に設けられている。この薄肉ヒンジ６５は、後述のように弾性部材として機能する。なお、図７中の符号６６は、光源取付孔である。
【００３６】
この室内照明灯５は、図１に示すように、機能部５７の機能部本体６０と意匠部５５とによって、天井トリム５１に設けられた室内照明灯取付孔５２の縁部を挟むことができるように構成されている。
【００３７】
すなわち、この室内照明灯５は、図８に示すように、車両５０の天井トリム５１に取り付けられる。室内照明灯５は、一側端を中心として回転することにより、開閉自在なサンバイザ６７によって隠れる位置に配置される。
【００３８】
この室内照明灯５を点灯する場合は、まず、図８中に二点差線で示すように、サンバイザ６７をフロントガラス６８側に開く。次に、図９及び図１０示すように、サンバイザ６７の天井トリム５１側の面６７ａに設けられた引き戸８１を開く。
【００３９】
そうすると、サンバイザ６７に設けられているミラー６９が露出される。これと同時に、図１１に示すように、室内照明灯５が点灯する。これにより、ミラー６９に映る画面を明瞭に見ることができる。
【図面の簡単な説明】
【００４０】
【図１】本発明に係る実施形態を示す断面図である。
【図２】本発明に係る実施形態の機能部を示す上面図である。
【図３】本発明に係る実施形態のフラット電線を示す図である。
【図４】本発明に係る実施形態のフラット電線を積層した状態を示す図である。
【図５】本発明に係るフラット電線の保持部内にフラット電線を挿入した状態を示す図である。
【図６】本発明に係る実施形態の機能部を上からみた斜視図である。
【図７】本発明に係る実施形態の機能部を下からみた斜視図である。
【図８】本発明に係る実施形態の室内照明灯を車両に取り付けた状態を示す図である。
【図９】本発明に係る実施形態のサンバイザを示す図である。
【図１０】本発明に係る実施形態のミラーを示す図である。
【図１１】本発明に係る実施形態のサンバイザを開いた状態を示す図である。
【図１２】従来の室内照明灯を示す分解図である。
【図１３】従来の室内照明灯を天井トリムに取り付けた状態を示す図である。
【図１４】従来の意匠部を示す図である。
【図１５】従来の意匠部にフラット電線を接続する方法を説明する図である。
【図１６】従来の意匠部の蓋を閉じた状態を示す図である。
【図１７】一般的な天井トリムを示す図である。
【図１８】従来の室内照明灯を天井トリムに取り付ける方法を示す図である。
【図１９】従来の室内照明灯を天井トリムに取り付ける方法を示す図である。
【図２０】従来の室内照明灯を天井トリムに取り付ける方法を示す図である。
【図２１】従来の室内照明灯を天井トリムから外す方法を示す図である。
【図２２】従来のフラット電線の余長部を保持する保持部を示す図である。
【図２３】従来のフラット電線の保持部を示す図である。
【符号の説明】
【００４１】
１  室内照明灯
５  室内照明灯
１１  意匠部
１２  機能部
１３  ベゼル
１４  開口
１５  レンズ
１６  クリップ
１７  バルブ
１８  機能部本体
１９  天井トリム
２０  開口
２２  フラット電線
２２ａ  余長部
２４  凹部
２５  圧接刃
２５ａ  溝
２６  フタ
２６ａ  突部
３０  ドームランプ取付孔
３１  室内照明灯取付孔
３２  車両本体
３２ａ  天井
３３  クリップ
３４  係止爪
３５  挿入路
３５  挿入通路
５０  車両
５１  天井トリム
５１ａ  裏面
５２  室内照明灯取付孔
５２  開口
５３  ベゼル
５４  レンズ
５５  意匠部
５６  光源
５７  機能部
５８  クリップ
６０  機能部本体
６１  フラット電線
６１ａ  余長部
６２  保持部
６３  凹部
６４  蓋部
６５  薄肉ヒンジ
６６  光源取付孔
６７  サンバイザ
６７ａ  サンバイザの側面
６８  フロントガラス
６８  戸
６９  ミラー
８１  引き戸
９０  アーム部
９３  挿入通路
９４  内側面
９４  芯線部分
９５  非芯線部分
【図１】
2005075220.tif 000003
【図２】
2005075220.tif 000004
【図３】
2005075220.tif 000005
【図４】
2005075220.tif 000006
【図５】
2005075220.tif 000007
【図６】
2005075220.tif 000008
【図７】
2005075220.tif 000009
【図８】
2005075220.tif 000010
【図９】
2005075220.tif 000011
【図１０】
2005075220.tif 000012
【図１１】
2005075220.tif 000013
【図１２】
2005075220.tif 000014
【図１３】
2005075220.tif 000015
【図１４】
2005075220.tif 000016
【図１５】
2005075220.tif 000017
【図１６】
2005075220.tif 000018
【図１７】
2005075220.tif 000019
【図１８】
2005075220.tif 000020
【図１９】
2005075220.tif 000021
【図２０】
2005075220.tif 000022
【図２１】
2005075220.tif 000023
【図２２】
2005075220.tif 000024
【図２３】
2005075220.tif 000025